(57)【要約】本発明は補助機器の遠隔調節装置に関するもので、特に会議や、セミナー、講義などに使用される予めセッティングされた多数のメイン機器に、追加されて使用される補助機器を遠隔から且つ容易に調節できるようにしたものに関するものである。メイン機器のための補助機器を遠隔に調整する装置は、上記メイン機器の調節対象を制御するメイン機器リモコン、上記補助機器の調節対象を制御する補助機器リモコン、及び上記メイン機器リモコンより出力された第１制御信号を受信及び学習し、上記補助機器リモコンより出力された第２制御信号を学習なしで受信し、上記受信された第１制御信号または上記第２制御信号を上記メイン機器または上記補助機器に伝達する制御器を含む。【選択図】図２【索引語】リモコン, 制御器, 補助機器, 調節対象
2010534441.tif 000002
【特許請求の範囲】
【請求項１】
メイン機器のための補助機器を遠隔に調整する装置において、
上記メイン機器の調節対象を制御するメイン機器リモコン、
上記補助機器の調節対象を制御する補助機器リモコン、及び
上記メイン機器リモコンより出力された第１制御信号を受信及び学習し、上記補助機器リモコンより出力された第２制御信号を学習なしで受信し、上記受信された第１制御信号または第２制御信号を上記メイン機器または上記補助機器に伝達する制御器を含んで構成されたことを特徴とする補助機器の遠隔調節装置。
【請求項２】
上記制御器は、
上記第１制御信号及び上記第２制御信号を受信及び学習するか否かを選択するモード部、
上記モード部の選択によって、上記メイン機器リモコンの送光部より送信される第１制御信号に対しては受信及び学習を行い、上記補助機器リモコンの送光部より送信される第２制御信号に対しては学習なしで受信のみが行われるように設定するリモコン信号受信/学習部、
上記リモコン信号受信/学習部に受信された上記第１制御信号を登録する格納部、
上記リモコン信号受信/学習部を通じて出力される制御信号が上記格納部に登録された制御信号ではない場合、上記補助機器を選択するための第３制御信号を出力する制御部、
上記メイン機器リモコン及び補助機器リモコンの操作または別途で具備されたキーボードの操作によって、上記制御部の制御状態をディスプレイする画面部、及び
上記制御部より出力された第３制御信号によって、上記補助機器の本体に具備された受光部に上記補助機器リモコンの第２制御信号を伝達するインターフェース部を含んで構成されたことを特徴とする請求項１に記載の補助機器の遠隔調節装置。
【請求項３】
上記画面部は、上記制御器がオン(On)になると、メイン機器及び補助機器の調節対象を調節するための調節メニューをOSD画面に表示することを特徴とする請求項２に記載の補助機器の遠隔調節装置。
【請求項４】
上記画面部は、上記制御器に一体で具備されているか、または上記制御器に別途で接続されるコンピューター、ノートパソコンに具備された少なくとも何れか一つであることを特徴とする請求項２に記載の補助機器の遠隔調節装置。
【請求項５】
上記インターフェース部は、上記メイン機器リモコン及び補助機器リモコンより発生する制御信号を、上記メイン機器の本体に具備された受光部及び補助機器の補助機器本体に具備された受光部に有線で伝達され制御が行われるようにすることを特徴とする請求項２に記載の補助機器の遠隔調節装置。
【請求項６】
補助機器を制御する制御器において、
メイン機器リモコンより第１制御信号を受信し、補助機器リモコンより第２制御信号を受信するリモコン信号受信/学習部、
上記受信された第１制御信号を登録する格納部、及び
上記リモコン信号受信/学習部より受信された制御信号が上記格納部に登録された制御信号ではない場合、上記補助機器を選択するための第３制御信号を出力する制御部を含むことを特徴とする制御器。
【請求項７】
上記リモコン信号受信/学習部は、上記受信された第１制御信号を学習し、上記受信された第２制御信号は学習しないことを特徴とする請求項６に記載の制御器。
【請求項８】
上記制御器は、
上記制御部の制御状態をディスプレイする画面部、及び
上記制御部より出力された第３制御信号によって、上記補助機器の本体に具備された受光部に上記補助機器リモコンの第２制御信号を伝達するインターフェース部を更に含むことを特徴とする請求項６に記載の制御器。
【請求項９】
上記リモコン信号受信/学習部に受信された制御信号が上記格納部に登録された制御信号である場合、上記インターフェース部は、上記第１制御信号をメイン機器に伝達することを特徴とする請求項８に記載の制御器。
【請求項１０】
メイン機器及び補助機器の調節対象を調節するための制御器の電源をオン(On)にする段階、
上記制御器の電源がオンにされた場合、調節メニューを画面部を通じてディスプレイする段階、
上記メイン機器及び上記補助機器の中で何れ一つの機器を選択するために、上記調節メニューを選択することによって、メイン機器リモコンまたは補助機器リモコンを通じて第１制御信号または第２制御信号を出力する段階、及び
上記出力された制御信号が上記制御器に予め設定された制御信号ではない場合、上記補助機器の調節対象を調節する段階を含むことを特徴とする補助機器の遠隔調節方法。
【請求項１１】
上記出力された制御信号が上記制御器に予め設定された制御信号である場合、上記メイン機器の調節対象を調節する段階を更に含むことを特徴とする請求項１０に記載の補助機器の遠隔調節方法。
【請求項１２】
上記画面部は、上記制御器に一体で具備されているか、または上記制御器に別途で接続されるコンピューター、ノートパソコンに具備された少なくとも何れ一つであることを特徴とする請求項１０に記載の補助機器の遠隔調節方法。
【請求項１３】
上記遠隔調節方法は、
上記第１制御信号を受信して学習するようにし、上記第２制御信号は受信のみをするように設定する段階を更に含むことを特徴とする請求項１０に記載の補助機器の遠隔調節方法。
【請求項１４】
メイン機器及び補助機器の調節対象を調節するために制御器の電源をオン(On)にする段階、
上記制御器の電源がオン(On)にされた場合、調節メニューを画面部を通じてディスプレイする段階、
上記メイン機器及び上記補助機器の中で何れ一つの機器を選択するために、上記調節メニューを選択することによって、メイン機器リモコンまたは補助機器リモコンを通じて第１制御信号または第２制御信号を出力する段階、及び
上記出力された制御信号が上記制御器に予め設定された制御信号である場合、上記メイン機器の調節対象を調節する段階を含むことを特徴とする補助機器の遠隔調節方法。
【請求項１５】
上記遠隔調節方法は、
上記第１制御信号を受信して学習するようにし、上記第２制御信号は受信のみをするように設定する段階を更に含むことを特徴とする請求項１４に記載の補助機器の遠隔調節方法。
【発明の詳細な説明】
【技術分野】
【０００１】
本発明は、補助機器の遠隔調節装置に関するもので、特に会議や、セミナー、講義などに使用される予めセッティングされた多数のメイン機器に、追加されて使用される補助機器を遠隔から且つ容易に調節できるようにしたものに関するものである。
【背景技術】
【０００２】
一般的に会社や学校などで会議や、セミナー、講義などに使用される多数のメイン機器(例えば、TV、VCR、DVD/CD、チューナー、オーディオ、コンピューター、ビデオカメラなどが含まれる)と共に使用される補助機器(例えば、上記機器を含めてプレゼンテーションをするためのプロジェクターや電動スクリーン、照明装置などが含まれる)の調節対象(例えば、電源、ボリューム、画面の明るさ、チャネル、画面の位置移動、カメラの操作などが含まれる)の制御のためにリモコンまたはキーボードが用いられる。
【０００３】
このような従来から使用されてきた各種機器の上記調節対象を調節するための方式について説明すると以下の通りである。
【０００４】
図1は、従来の多数のメイン機器を各々の独立したリモコンを用いて遠隔調節する状態を示したブロック図である。
【０００５】
まず、上述したように会議や、セミナー、講義などで使用される多数の異なる機器(図1を参照すると、例えばTV、VCR、DVD/CD、チューナーなど)(20〜20ｎ)が具備される。
上記メイン機器(20〜20ｎ)には、必要時に上述した調節対象を各々遠隔で調節するためにリモコン信号受光部(22〜22ｎ)が本体(21〜21ｎ)に各々具備され、これと共に各々の上記メイン機器(20〜20ｎ)に合う独立したメイン機器リモコン(10〜10ｎ)が別途具備される。
【０００６】
上記メイン機器リモコン(10〜10ｎ)に具備されたキーボタン(図示を省略)の操作によって発生された制御信号は、上記メイン機器リモコン(10〜10ｎ)の送光部(11〜11ｎ)を介して赤外線(IR：Infrared signal)で送信され、続いて上記送信された制御信号を、上記メイン機器(20〜20ｎ)の本体(21〜21ｎ)に各々具備されたリモコン信号受光部(22〜22ｎ)でその信号を受信して、それによる上記調節対象の調節操作が行われるようになる。
【０００７】
勿論、上記各々のメイン機器(20〜20ｎ)の本体(21〜21ｎ)に一体で具備されたキーボタン(23〜23ｎ)を直接操作して上述した調節対象の調節動作も可能である。
【０００８】
しかし、このように従来より使用されてきた機器の調節方式は、該当のメイン機器に合わないメイン機器リモコン、即ち制御コードが一致しないメイン機器リモコンを使用する場合には、上記メイン機器の調節動作が不可能になる問題点があった。
【０００９】
そのため、各々の独立したメインリモコンを、いちいち各々のメイン機器のそばに備えて使用しなければならないといった不便さなどの問題点があった。
【発明の概要】
【発明が解決しようとする課題】
【００１０】
上述した従来の問題点を考慮した本発明は、会議や、セミナー、講義などに使用される多数のメイン機器及びこれに追加されて使用される補助機器の調節対象を操作するにおいて、上記メイン機器はこれを操作するためのメイン機器リモコンの制御信号が及ぶ近距離に設置されているか、または上記メイン機器がよく見える同一の場所に設置されている場合が一般的であることに対し、上記補助機器はこれを制御するための補助機器リモコンの制御信号が及ばない遠距離に設置されているか、または上記補助機器がよく見えない他の場所に設置されている場合において、上記補助機器の調節対象を遠隔から且つ容易に操作できるようにすることにその目的がある。
【課題を解決するための手段】
【００１１】
上述した本発明の課題を解決するための手段として、本発明の一実施例によるメイン機器のための補助機器を遠隔に調整する装置は、上記メイン機器の調節対象を制御するメイン機器リモコン、上記補助機器の調節対象を制御する補助機器リモコン、及び上記メイン機器リモコンより出力された第1信号を受信及び学習し、上記補助機器リモコンより出力された第2制御信号を学習なしで受信し、上記受信された第1制御信号または第2制御信号を上記メイン機器または上記補助機器に伝達する制御器を含む。
【００１２】
上記制御器は、上記第1制御信号及び第2制御信号を受信及び学習するか否かを選択するモード部、上記モード部の選択によって、上記メイン機器リモコンの送光部より送信される第1制御信号に対しては受信及び学習を行い、上記補助機器リモコンの送光部より送信される第2制御信号に対しては学習なしで受信のみ行われるように設定するリモコン信号受信/学習部、上記リモコン信号受信/学習部に受信された第1制御信号を登録する格納部、上記リモコン信号受信/学習部を通じて出力される制御信号が、上記格納部に登録された制御信号ではない場合、上記補助機器を選択するための第3制御信号を出力する制御部、上記メイン機器リモコン及び補助機器リモコンの操作または別途に具備されたキーボードの操作によって、上記制御部の制御状態をディスプレイする画面部、及び上記制御部より出力された第3制御信号によって、上記補助機器の本体に具備された受光部に上記補助機器リモコンの第2制御信号を伝達するインターフェース部を含む。
【００１３】
上記画面部は、上記制御器がオン(On)になると、メイン機器及び補助機器の調節対象を調節するための調節メニューをOSD画面に表示する。
【００１４】
上記画面部は、上記制御器に一体で具備されているか、または上記制御器に別途で接続されるコンピューター、ノートパソコンに具備された少なくとも何れかひとつである。
上記インターフェース部は、上記メイン機器リモコンおよび補助機器リモコンより発生する制御信号を、上記メイン機器の本体に具備された受光部及び補助機器の補助機器本体に具備された受光部に有線で伝達して制御が行われる。
【００１５】
本発明の一実施例による補助機器を制御する制御器は、メイン機器リモコンより第1制御信号を受信し、補助機器リモコンより第2制御信号を受信するリモコン信号受信/学習部、上記受信された第1制御信号を登録する格納部、及び上記リモコン信号受信/学習部に受信された制御信号が上記格納部に登録された制御信号ではない場合、上記補助機器を選択するための第3制御信号を出力する制御部を含む。
【００１６】
上記リモコン信号受信/学習部は、上記受信した第1制御信号を学習し、上記受信した第2制御信号は学習しない。
【００１７】
上記制御器は、上記制御部の制御状態をディスプレイする画面部、及び上記制御部より出力された第3制御信号によって、上記補助機器の本体に具備された受光部に上記補助機器リモコンの第2制御信号を伝達するインターフェース部を更に含む。
【００１８】
上記リモコン信号受信/学習部に受信された制御信号が、上記格納部に登録された制御信号である場合、上記インターフェース部は上記第1制御信号をメイン機器に伝達する。
【００１９】
本発明の一実施例による補助機器の遠隔調節方法は、メイン機器及び補助機器の調節対象を調節するために制御器の電源をオン(On)にする段階、上記制御器の電源がオンにされた場合、調節メニューを画面部を通じてディスプレイする段階、上記メイン機器及び上記補助機器のうち何れか一つの機器を選択するために、上記調節メニューを選択することによってメイン機器リモコンまたは補助機器リモコンを通じて第1制御信号または第2制御信号を出力する段階、及び上記出力された制御信号が上記制御器に予め設定された制御信号ではない場合、上記補助機器の調節対象を調節する段階を含む。
【００２０】
上記遠隔調節方法は、上記出力された制御信号が上記制御器に予め設定された制御信号である場合、上記メイン機器の調節対象を調節する段階を更に含む。
【００２１】
上記画面部は、上記制御器に具備されているか、または上記制御器に別途で接続されるコンピューター、ノートパソコンに具備された少なくとも何れか一つである。
【００２２】
上記遠隔調節方法は、上記第１信号を受信して学習するようにし、上記第２信号は受信のみをするように設定する段階を更に含む。
【００２３】
本発明の他の実施例による補助機器の遠隔調節方法は、メイン機器及び補助機器の調節対象を調節するために制御器の電源をオン(On)にする段階、上記制御器の電源がオン(On)にされた場合、調節メニューを画面部を通じてディスプレイする段階、上記メイン機器及び上記補助機器の中で何れか一つの機器を選択するために、上記調節メニューを選択することによって、メイン機器リモコンまたは補助機器リモコンを通じて第１制御信号または第２制御信号を出力する段階、及び上記出力された制御信号が上記制御器に予め設定された制御信号である場合、上記メイン機器の調節対象を調節する段階を含む。
【００２４】
上記遠隔調節方法は、上記第１制御信号を受信して学習するようにし、上記第２制御信号は受信のみをするように設定する段階を更に含む。
【００２５】
以下、本発明が解決しようとする課題及び解決手段は、添付した図面に示した多様な実施例の詳細な説明を通してより明確になる。
【発明の効果】
【００２６】
本発明による補助機器の遠隔調節装置は、会議や、セミナー講義などの進行時に多数のメイン機器と共に使用され、補助機器リモコンの制御信号が及ばない遠距離またはよく見えない他の場所に補助機器が設置されていても、上記補助機器の調節対象を直接容易に調節できる効果を提供する。
【図面の簡単な説明】
【００２７】
【図１】図１は、従来の多数のメイン機器を各々の独立したメインリモコンを用いて遠隔調節する状態を示したブロック図である。
【図２】図２は、本発明による多数のメイン機器のための補助機器を遠隔調節する過程を示したブロック図である。
【図３】図３は、本発明によるリモコン学習が行われている多数のメイン機器に追加されて使用される補助機器を遠隔調節するための過程を示したフローチャートである。
【発明を実施するための形態】
【００２８】
本発明の具体的な実施例を説明するにおいて、本発明の図面によって示されていて、これによる構成と作用は少なくとも一つの一実施例として説明されるものであり、これによって本発明の技術的思想とその核心構成及び作用は制限されない。
【００２９】
参考事項としては、本発明で説明される各図面に符号を表記するにおいて、同一な構成要素はたとえ他の図面に表記されても可能な限り同一な符号を付与したことに留意する必要がある。
【００３０】
以下、本発明の補助機器の遠隔調節装置に対して、添付された図２ないし図３を参照して詳細に説明すると以下の通りである。
【００３１】
図２は、本発明による多数のメイン機器のための補助機器を遠隔調節する過程を示したブロック図である。
【００３２】
まず、メイン機器リモコン(５０〜５０ｎ)の制御信号が及ぶ近距離、またはよく見える同一な場所(例えば、会議室、事務室、講義室など)にメイン機器(９０〜９０ｎ)が通常的に具備される。
【００３３】
一方、上記メイン機器(９０〜９０ｎ)に追加されて使用され、補助機器リモコン(１００)の制御信号が及ばない遠距離、またはよく見えない他の場所(例えば、会議室、事務室、講義室など)に補助機器(２００ｋ)が具備される。
【００３４】
上記メイン機器(９０〜９０ｎ)の調節対象を制御するメイン機器リモコン(５０〜５０ｎ)及び補助機器(２００ｋ)の調節対象を制御する補助機器リモコン(１００)が具備される。
【００３５】
上記メイン機器リモコン(５０〜５０ｎ)より発生する制御信号に対しては、受信及び学習を行い、上記補助機器リモコン(１００)より発生する制御信号に対しては、学習なしで受信のみを行って、上記メイン機器(９０〜９０ｎ)及び補助機器(２００ｋ)に上記制御信号を中継及び伝達する制御器(７０)が具備される。
【００３６】
次は、上記制御器(７０)の構成についてより詳細に説明する。
【００３７】
上記制御器(７０)は、上記メイン機器(９０〜９０ｎ)を制御するメイン機器リモコン(５０〜５０ｎ)より発生する制御信号及び補助機器(２００ｋ)を制御する補助機器リモコン(１００)より発生する制御信号を受信及び学習するか否かを選択するモード部(６６)が具備される。
【００３８】
上記モード部(６６)の選択によって、上記メイン機器リモコン(５０〜５０ｎ)の送光部(５１〜５１ｎ)より送信されるリモコン制御信号に対しては受信及び学習を行い、補助機器リモコン(１００)の送光部(１０１)より送信されるリモコン制御信号に対しては学習なしで受信のみが行われるように設定する、リモコン信号受信/学習部(６０)が具備される。
【００３９】
即ち、上記リモコン信号受信/学習部(６０)は、上記補助機器(２００ｋ)の調節対象を調節するための補助機器リモコン(１００)より発生する制御信号を予め学習または登録しないことが特徴である。
【００４０】
上記リモコン信号受信/学習部(６０)で事前に予め学習された上記メイン機器リモコン(５０〜５０ｎ)より発生する制御信号を登録する格納部(６３)が具備される。
【００４１】
上記格納部(６３)は、EEPROM(Electrically Erasable and Programmable Read Only Memory)やEPROM(Erasable and Programmable Read Only Memory), PROM(Programmable Read Only Memory), ROM(Read Only Memory)などを用いることが好ましい。
【００４２】
上記リモコン信号受信/学習部(６０)を通じて出力されるリモコン制御信号が、上記格納部(６３)に予め登録されている上記メイン機器リモコン(５０〜５０ｎ)より発生した制御信号ではないものと判別されると、つまり、上記格納部(６３)に登録されていない補助機器リモコン(１００)の制御信号である場合には、上記補助機器(２００ｋ)を選択するための制御信号を発生する制御部が(６１)が具備される。
【００４３】
一方、上記制御部(６１)は、上記リモコン信号受信/学習部(６０)を通じて出力されるリモコン制御信号が、上記格納部(６３)に予め登録されている上記メイン機器リモコン(５０〜５０ｎ)より発生した制御信号であると判別されると、上記メイン機器(９０〜９０ｎ)の中で該当する何れか一つのメイン機器(９０〜９０ｎ)を選択するための制御信号を発生するようになる。
【００４４】
そして、上記制御部(６１)は、マイコン(Micom)から構成することが好ましい。
【００４５】
上記メイン機器リモコン(５０〜５０ｎ)及び補助機器リモコン(１００)の操作または別途で具備されたキーボード(６５)の操作によって、上記制御部(６１)で制御されている状態をOSD(On Screen Display)画面に示す画面部(６４)が具備される。
【００４６】
例えば、上記モード部(６６)で選択されるメイン機器リモコン(５０〜５０ｎ)及び補助機器リモコン(１００)より発生する制御信号を受信及び学習するか否かや、上記メイン機器(９０〜９０ｎ)及び補助機器(２００ｋ)の調節対象、即ち、電源のオン(On)/オフ(Off)及びボリュームのレベル、チャネルの番号、画面の明るさ、プロジェクター、電動スクリーンなどの制御状態を容易に確認することが可能である。
【００４７】
参考として、上記画面部(６４)は、制御器(７０)がオン(Oｎ）になると、上記メイン機器(９０〜９０ｎ)及び補助機器(２００ｋ)の調節対象を調節するための調節メニューをOSD画面に表示することが好ましい。
【００４８】
そして、上記画面部(６４)は、上記制御器(７０)に一体で具備されているか、または上記制御器(７０)に別途で接続されるコンピューター、ノートパソコンなどに具備されたものを含むことが可能である。
【００４９】
また、上記制御部(６１)を通じて出力される制御信号によって、上記選択された補助機器(２００ｋ)の本体(２０１ｋ)に具備された受光部(２０２ｋ)に上記補助機器リモコン(１００)の制御信号を伝達するインターフェース部(６２)が具備される。
【００５０】
勿論、上記インターフェース部(６２)は、上記メイン機器リモコン(５０〜５０ｎ)及び補助機器リモコン(１００)より発生する制御信号を、上記メイン機器(９０〜９０ｎ)の本体(９１〜９１ｎ)に具備された受光部(９２〜９２ｎ)及び補助機器(２００ｋ)の補助機器本体(２０１ｋ)に具備された受光部(２０２ｋ)に有線で伝達して、それによる制御が行われるようにすることが好ましい。
【００５１】
図３は、本発明によるリモコン学習が行われている多数のメイン機器と共に追加されて使用される補助機器を遠隔調節するための過程を示したフローチャートである。
まず、メイン機器(９０〜９０ｎ)及び上記メイン機器(９０〜９０ｎ)と共に追加されて使用される補助機器(２００ｋ)の調節対象を調節するために、制御器(７０)の電源をオン(On)にする段階(S３０１)を有する。
【００５２】
上記制御器(７０)は、上述したようにモード部(６６)や、リモコン信号受信/学習部(６０)、格納部(６３)、制御部(６１)、画面部(６４)、キーボード(６５)、インターフェース部(６２)から構成されている。
【００５３】
ここで、上記リモコン信号受信/学習部(６０)の特徴についてもっと具体的に詳察すると以下の通りである。
【００５４】
上記モード部(６６)の選択によって、上記メイン機器リモコン(５０〜５０ｎ)の送光部(５１〜５１ｎ)より送信されるリモコン制御信号に対しては受信及び学習を行い、補助機器リモコン(１００)の送光部(１０１)より送信されるリモコン制御信号に対しては、学習なしで受信のみ行われる特徴を有している。
【００５５】
即ち、上記リモコン信号受信/学習部(６０)は、上記補助機器(２００ｋ)の調節対象を調節するための補助機器リモコン(１００)より発生する制御信号は予め学習または登録せず、上記インターフェース部(６２)を介してその制御信号をそのままパス(Pass)することが特徴である。
【００５６】
次は、その制御器(７０)の電源がオン(On)になると、上記メイン機器(９０〜９０ｎ)及び補助機器(２００ｋ)の調節対象を調節するための画面部(６４)を通じてOSD画面に表示する段階(S３０２)を有する。
【００５７】
この時、上記画面部(６４)は、制御器(７０)がオン(On)になると、上記メイン機器(９０〜９０ｎ)及び補助機器(２００ｋ)の調節対象を調節するための調節メニューをOSD画面に表示することが好ましい。
【００５８】
上記画面部(６４)は、上記制御器(７０)に一体で具備されているか、または上記制御器(７０)に別途で接続されるコンピューター、ノートパソコンなどに具備されたものを含むことが可能である。
【００５９】
上記OSD画面に表示される調節メニューを見て制御が必要なメイン機器(９０〜９０ｎ)または補助機器(２００ｋ)の中で何れ一つの機器を選択するために、メイン機器リモコン(５０〜５０ｎ)または補助機器リモコン(１００)を使用してリモコン制御信号を発生する段階(S３０３)を有する。
【００６０】
上記発生されるリモコン制御信号が、リモコン信号受信/学習部(６０)で予め学習を行って格納部(６３)に登録されているメイン機器リモコン(５０〜５０ｎ)信号である場合、上記メイン機器(９０〜９０ｎ)が選択され(S３０４)、それによる必要な調節対象を選択し(S３０６)、上記調節対象を調節し(S３０７)、再び上記選択されたメイン機器(９０〜９０ｎ)の調節対象を調節するための上記の段階(S３０６)、(S３０７)を繰り返す過程を含む。
【００６１】
勿論、上記選択(S３０４)されたメイン機器(９０〜９０ｎ)の調節対象を全て調節した後(S３０７)、再び調節する調節対象がない場合には、上記調節対象調節段階(S３０７)でそのまま終了する過程から構成されることも可能である。
【００６２】
一方、上記リモコン制御信号を発生する段階(S３０３)において、上記発生されるリモコン制御信号がリモコン信号受信/学習部(６０)で予め学習されてなく、格納部(６３)に登録されていない補助機器リモコン(１００)信号である場合には、上記補助機器(２００ｋ)が選択され(S３０５)、それによる必要な調節対象を選択し(S３０６)、上記調節対象を調節し(S３０７)、再び上記選択された補助機器(２００ｋ)の調節対象を調節するための上記の調節対象調節段階(S３０６)、(S３０７)を繰り返す過程を含んで構成される。
【００６３】
同じく、上記選択(S３０５)された補助機器(２００ｋ)の調節対象をすべて調節した後(S３０７)、再び調節する対象がない場合には、上記調節対象調節段階(S３０７)でそのまま終了する過程から構成されることも可能である。
【００６４】
以上説明した内容を通じ、当業者であれば本発明の技術的思想を逸脱しない範囲で多様な変更と修正が可能であることは明らかである。
【００６５】
従って、本発明の技術的範囲は、上述したような実施例に記載された内容に限定されることなく、本発明の特許請求範囲によって定められることが好ましい。
【産業上の利用可能性】
【００６６】
本発明は、会議や、セミナー、講義などに使用される予めセッティングされた多数のメイン機器に追加されて使用される補助機器を遠隔に且つ容易に調節できる技術であり、今後その需要の増加が期待される、産業上の利用可能性が極めて高い発明である。
【符号の説明】
【００６７】
１０〜１０ｎ、５０〜５０ｎ: メイン機器リモコン
１１〜１１ｎ、５１〜５１ｎ、１０１: 送光部
２０〜２０ｎ、９０〜９０ｎ: メイン機器
２１〜２１ｎ、９１〜９１ｎ: 本体
２２〜２２ｎ、９２〜９２ｎ、２０２ｋ: 受光部
２３〜２３ｎ、９３〜９３ｎ、２０３ｋ: キーボタン
６０: リモコン信号受信/学習部
６１: 制御部
６２: インターフェース部
６３: 格納部
６４: 画面部
６５: キーボード
６６: モード部
７０: 制御器
１００: 補助機器リモコン
２００ｋ: 補助機器
２０１ｋ: 補助機器本体
【図１】
2010534441.tif 000003
【図２】
2010534441.tif 000004
【図３】
2010534441.tif 000005
【国際調査報告】
2010534441.tif 000006
2010534441.tif 000007